(57)【要約】【課題】ロック部によってアタッチメントの支持ピンが固定フックから脱落することを確実に防止することができるアタッチメント連結装置を提供することを課題とする。【解決手段】アタッチメント連結装置１６であって、アタッチメント１５の支持ピン１５ａに係合される固定フック１７と、固定フック１７に対して連結側と解除側とに回動可能に構成され、アタッチメント１５の支持ピン１５ｂに係合される可動フック１８と、固定フック１７がアタッチメント１５の支持ピン１５ａから脱落することを防止するロック部１９と、ロック部１９を可動させるアクチュエータ２０と、を備え、ロック部１９は、可動フック１８が解除側に回動してアタッチメント１５の支持ピン１５ａに係合されていない状態において、アクチュエータ１５によって可動したときに、アタッチメント１５の支持ピン１５ｂが固定フック１７から脱落することを防止している状態を解除する。【選択図】図２
2016166509.tif 000002
【特許請求の範囲】
【請求項１】
アーム先端部にアタッチメントを連結するアタッチメント連結装置であって、
前記アタッチメントの支持ピンに係合される固定フックと、
前記固定フックに対して連結側と解除側とに回動可能に構成され、前記アタッチメントの支持ピンに係合される可動フックと、
前記アタッチメントの前記支持ピンが前記固定フックから脱落することを防止するロック部と、
前記ロック部を可動させるアクチュエータと、を備え、
前記ロック部は、前記可動フックが解除側に回動して前記アタッチメントの支持ピンに係合されていない状態において、前記アクチュエータによって可動したときに、前記アタッチメントの支持ピンが前記固定フックから脱落することを防止している状態を解除する、
アタッチメント連結装置。
【請求項２】
前記アクチュエータは、前記可動フックと前記ロック部とを可動させる、
請求項１に記載のアタッチメント連結装置。
【請求項３】
前記ロック部によって前記アタッチメントの支持ピンが前記固定フックから脱落することを防止する状態となるように前記ロック部を付勢する付勢部材を備える、
請求項１または請求項２に記載のアタッチメント連結装置。
【請求項４】
前記ロック部は、前記可動フックが解除側に回動して前記アタッチメントの支持ピンに係合されていない状態において、前記アクチュエータによって前記付勢部材の付勢力に反して可動したときに、前記アタッチメントの支持ピンが前記固定フックから脱落することを防止している状態を解除する、
請求項３に記載のアタッチメント連結装置。
【発明の詳細な説明】
【技術分野】
【０００１】
本発明は、旋回作業車のアームの先端部にアタッチメントを連結するアタッチメント連結装置の技術に関する。
【背景技術】
【０００２】
従来、旋回作業車のアームに配置され、アームの先端部にバケット等のアタッチメント（作業機）を連結する、アタッチメント連結装置に関する技術は種々知られている。
前記アタッチメント連結装置は、固定フックと可動フックとを備え、固定フックの係合凹部と可動フックの係合凹部とを、アタッチメントの支持ピンにそれぞれ係合させることによって、アームにアタッチメントを連結する。前記アタッチメントの連結装置では、固定フックの係合凹部がアタッチメントの支持ピンに係合された状態で、可動フックが移動（前方に回動）して、可動フックの係合凹部がアタッチメントの支持ピンに係合された状態となる（特許文献１参照）。
【０００３】
また、アタッチメント連結装置には、ロック部を備え、固定フックの係合凹部がアタッチメントの支持ピンに係合された状態でロック部が移動して、ロック部によってアタッチメントの支持ピンが固定フックの係合凹部から脱落することを防止するものが公知となっている。
【先行技術文献】
【特許文献】
【０００４】
【特許文献１】特開２００１−３０３６０８号公報
【発明の概要】
【発明が解決しようとする課題】
【０００５】
しかしながら、前記アタッチメント連結装置では、例えば、可動フックが障害物に意図せずに接触したときに可動フックが解除側に移動（後方に回動）して、可動フックの係合凹部がアタッチメントの支持ピンに係合されていない状態となった場合等に、ロック部も移動してしまい、ロック部による固定フックがアタッチメントの支持ピンから脱落することを防止している状態が解除されるおそれがある。
【０００６】
本発明は、以上の如き状況に鑑みてなされたものであり、ロック部によってアタッチメントの支持ピンが固定フックから脱落することを確実に防止することができるアタッチメント連結装置を提供することを課題とする。
【課題を解決するための手段】
【０００７】
本発明の解決しようとする課題は以上の如くであり、次にこの課題を解決するための手段を説明する。
【０００８】
即ち、請求項１においては、アーム先端部にアタッチメントを連結するアタッチメント連結装置であって、前記アタッチメントの支持ピンに係合される固定フックと、前記固定フックに対して連結側と解除側とに回動可能に構成され、前記アタッチメントの支持ピンに係合される可動フックと、前記アタッチメントの支持ピンが前記固定フックから脱落することを防止するロック部と、前記ロック部を可動させるアクチュエータと、を備え、前記ロック部は、前記可動フックが解除側に回動して前記アタッチメントの支持ピンに係合されていない状態において、前記アクチュエータによって可動したときに、前記アタッチメントの支持ピンが前記固定フックから脱落することを防止している状態を解除するものである。
【０００９】
請求項２においては、前記アクチュエータは、前記可動フックと前記ロック部とを可動させるものである。
【００１０】
請求項３においては、前記ロック部によって前記アタッチメントの支持ピンが前記固定フックから脱落することを防止する状態となるように前記ロック部を付勢する付勢部材を備えるものである。
【００１１】
請求項４においては、前記ロック部は、前記可動フックが解除側に回動して前記アタッチメントの支持ピンに係合されていない状態において、前記アクチュエータによって前記付勢部材の付勢力に反して可動したときに、前記アタッチメントの支持ピンが前記固定フックから脱落することを防止している状態を解除するものである。
【発明の効果】
【００１２】
本発明の効果として、以下に示すような効果を奏する。
即ち、本発明によれば、ロック部によって固定フックがアタッチメントの支持ピンから脱落することを確実に防止することができる。
【図面の簡単な説明】
【００１３】
【図１】本発明の実施形態に係るアタッチメント連結装置を備える旋回作業車の全体的な構成を示した側面図。
【図２】同じくアタッチメント連結装置を示した側面図。
【図３】同じくアタッチメント連結装置の内部構造を示した側面図。
【図４】同じくアタッチメント連結装置の内部構造を示した斜視図。
【図５】同じくアタッチメント連結装置を示した背面図。
【図６】同じくアタッチメント連結装置の動作を示した側面図。
【図７】同じくアタッチメント連結装置の動作を示した側面図。
【図８】同じくアタッチメント連結装置の動作を示した側面図。
【図９】同じくアタッチメント連結装置の動作を示した側面図。
【図１０】同じくアタッチメント連結装置を示した側面図。
【図１１】同じくアタッチメント連結装置の内部構造を示した側面図。
【図１２】同じくアタッチメント連結装置の内部構造を示した斜視図。
【図１３】同じくアタッチメント連結装置を示した背面図。
【図１４】同じくアタッチメント連結装置の動作を示した側面図。
【図１５】同じくアタッチメント連結装置の動作を示した側面図。
【発明を実施するための形態】
【００１４】
図１から図９に記載のアタッチメント連結装置１６について説明する。
【００１５】
図１に示すように、アタッチメント連結装置１６は、旋回作業車のアーム９の先端部に配置され、アーム９の先端部にバケット等のアタッチメント（作業機）１５を連結する。
【００１６】
旋回作業車は、クローラ式走行装置１の上部中央に旋回台軸受２が配置され、該旋回台軸受２により旋回体３を左右旋回可能に軸受支持している。クローラ式走行装置１の前後一端部には、排土板４が上下回動自在に配設される。
【００１７】
旋回体３の上方には、エンジンを被覆するボンネット５とキャビン６が配設される。旋回体３の前端部へ左右回動自在に取り付けられたブームブラケット７には、ブーム８の下端部が上下回動自在に枢支される。ブーム８の先端部には、アーム９の基部が枢支される。アーム９の先端部には、アタッチメント連結装置１６が枢支される。
【００１８】
ブームブラケット７には、ブームシリンダ１０の下端が回動自在に枢支される。ブームシリンダ１０が伸縮することにより、ブーム８がブームブラケット７に対して回動する。ブーム８の上部には、アームシリンダ１１が配設さる。アームシリンダ１１が伸縮することにより、アーム９がブーム８に対して回動する。アーム９の基部には、バケットシリンダ１２が配設される。バケットシリンダ１２の先端には、リンク１３・１４を介して、アタッチメント連結装置１６がアーム９に接続される。アタッチメント連結装置１６は、アーム９の先端部に回動自在に枢支され、バケットシリンダ１２が伸縮することにより、アーム９に対して回動する。
【００１９】
図２から図９に示すように、アタッチメント連結装置１６は、固定フック１７と、可動フック１８と、ロック部１９と、アクチュエータ２０と、リンク２１と、付勢部材２２と、を備える。
アタッチメント連結装置１６は、固定フック１７の係合凹部１７ａと可動フック１８の係合凹部１８ａとを、アタッチメント１５の支持ピン１５ａ・１５ｂにそれぞれ係合させることによって、アーム９にアタッチメント１５を連結する。アタッチメント１５の支持ピン１５ａが後方に、支持ピン１５ｂが前方にそれぞれ配置される。
【００２０】
固定フック１７と可動フック１８とは、鋳物によりそれぞれ一体的に構成される。可動フック１８は、その上部が固定フック１７の内側に入込み、固定フック１７から前方に突出するように配置される。固定フック１７と可動フック１８のそれぞれの軸孔１７ｂ・１８ｂに軸体３０が貫挿され、軸体３０を中心に固定フック１７に対して前後方向に可動フック１８が回動自在に構成される。
【００２１】
固定フック１７は、アーム９の先端部に取付けられる。固定フック１７の前上部の軸孔１７ｂに軸体３０が貫挿される。
固定フック１７は、係合凹部１７ａと、案内部１７ｄと、を備える。
【００２２】
固定フック１７の係合凹部１７ａは、固定フック１７の下部に形成される。固定フック１７の係合凹部１７ａは、アタッチメント１５の支持ピン１５ａに係合可能に、後方に向かって開口する。
【００２３】
固定フック１７の案内部１７ｄは、リンク２１が前後方向に移動するようにリンク２１を案内する。
固定フック１７の案内部１７ｄは、固定フック１７の両側部に形成される。固定フック１７の案内部１７ｄは、固定フック１７の上下中途部に形成される。固定フック１７の案内部１７ｄは、固定フック１７の側面が貫通するように切欠かれて形成される。固定フック１７の案内部１７ｄは、アクチュエータ２０のシリンダロッド２０ａの伸縮方向と略平行な筋状（長孔状）に形成される。
【００２４】
可動フック１８の上部の軸孔１８ｂに軸体３０が貫挿される。
可動フック１８は、下部に係合凹部１８ａと、支持部１８ｃと、を備える。
【００２５】
可動フック１８の係合凹部１８ａは、アタッチメント１５の支持ピン１５ｂに係合可能に、前方に向かって開口する。
【００２６】
可動フック１８の支持部１８ｃは、アクチュエータ２０（アクチュエータ２０のピン２０ｂ）を支持する。
可動フック１８の支持部１８ｃは、可動フック１８の両側部に形成される。可動フック１８の支持部１８ｃは、可動フック１８の上下中途部に形成される。可動フック１８の支持部１８ｃは、可動フック１８の側面が貫通するように切欠かれて形成される。可動フック１８の支持部１８ｃは、可動フック１８が解除側に回動した状態でアクチュエータ２０のシリンダロッド２０ａの伸縮方向と略平行な長孔状に形成される。可動フック１８の支持部１８ｃは、略前後方向を長手方向とするように形成される。可動フック１８の支持部１８ｃは、その長手方向の長さがアクチュエータ２０のピン２０ｂの直径よりも長く構成される。可動フック１８の支持部１８ｃは、その長手方向の長さが、ロック部１９によってアタッチメント１５の支持ピン１５ａが固定フック１７（固定フック１７の係合凹部１７ａ）から脱落することを防止している状態とするとき、または、アタッチメント１５の支持ピン１５ａが固定フック１７から脱落することを防止している状態を解除するときに、アクチュエータ２０のピン２０ｂの移動に必要な長さと略同一（若干長く）に構成される。
【００２７】
可動フック１８は、固定フック１７（固定フック１７の係合凹部１７ａ）がアタッチメント１５の支持ピン１５ａに係合された状態で、前方（固定側）に向かって回動して、アタッチメント１５の支持ピン１５ｂに係合凹部１８ａが係合した状態とされ、後方（解除側）に向かって回動して、アタッチメント１５の支持ピン１５ｂに係合凹部１８ａが係合した状態を解除する。
可動フック１８は、後方に向かって回動していくと、可動フック１８の下部後面と固定フック１７の下部前面とが当接して回動動作を停止する。
【００２８】
ロック部１９は、固定フック１７（固定フック１７の係合凹部１７ａ）がアタッチメント１５の支持ピン１５ａに係合された状態で移動（回動）して、アタッチメント１５の支持ピン１５ａが固定フック１７（固定フック１７の係合凹部１７ａ）から脱落することを防止する。
ロック部１９は、二個（複数個）の略Ｖ字状の平板部材を立てるようにして左右に並べて配置される。
ロック部１９は、前方と前上方とに延出するように固定フック１７の後下部に配置される。ロック部１９の前方に延出する部分は、固定フック１７の係合凹部１７ａの後方に配置される。
固定フック１７の後下部の軸孔１７ｃとロック部１９の後部の軸孔１９ａとに軸体３１が貫挿され、軸体３１を中心に固定フック１７に対して上下方向にロック部１９が回動自在（移動自在）に構成される。
なお、ロック部１９は、一個の平板部材で構成することもできる。このようにロック部１９を構成することによって、ロック部１９の部品点数を削減し、また、ロック部１９の強度を向上させることができる。
【００２９】
ロック部１９は、固定フック１７（固定フック１７の係合凹部１７ａ）がアタッチメント１５の支持ピン１５ａに係合された状態で、下方（ロック側）に向かって回動することによって、ロック部１９の前方に延出する部分が、固定フック１７の係合凹部１７ａの開口の一部を閉じる位置に移動して、アタッチメント１５の支持ピン１５ａが固定フック１７（固定フック１７の係合凹部１７ａ）から脱落することを防止する。ロック部１９は、固定フック１７（固定フック１７の係合凹部１７ａ）がアタッチメント１５の支持ピン１５ａに係合された状態で、上方（ロック解除側）に向かって回動することによって、アタッチメント１５の支持ピン１５ａが固定フック１７（固定フック１７の係合凹部１７ａ）から脱落することを防止する状態を解除する。
【００３０】
アクチュエータ２０は、可動フック１８とロック部１９とを可動させる。アクチュエータ２０は、油圧シリンダであり、シリンダロッド２０ａと、左右一対のピン２０ｂと、押込部２０ｃと、を備え、シリンダロッド２０ａを伸縮させることによって、可動フック１８またはロック部１９を可動させる。
アクチュエータ２０は、軸体３２を介して固定フック１７の内側に支持され、上下回動可能に構成される。アクチュエータ２０は、シリンダロッド２０ａが前方に突出するように配置される。
【００３１】
アクチュエータ２０のピン２０ｂは、シリンダロッド２０ａの先端部に設けられる。アクチュエータ２０のピン２０ｂは、シリンダロッド２０ａのから左右（外側）に突出する。
アクチュエータ２０のピン２０ｂは、可動フック１８の支持部１８ｃに支持される。アクチュエータ２０のピン２０ｂは、可動フック１８の支持部１８ｃ内に配置される。アクチュエータ２０のシリンダロッド２０ａが伸縮することによって、可動フック１８の支持部１８ｃ内において略前後方向に（支持部１８ｃの長手方向に沿って）ピン２０ｂが移動可能に構成される。
アクチュエータ２０は、ピン２０ｂが可動フック１８の支持部１８ｃ内において支持部１８ｃに当接した状態で、シリンダロッド２０ａが伸縮することによって、可動フック１８を可動させる。
【００３２】
アクチュエータ２０の押込部２０ｃは、シリンダロッド２０ａが縮短することによってリンク２１側に移動してリンク２１を押込んで、アクチュエータ２０の動力がリンク２１を介してロック部１９に伝達可能に構成される。アクチュエータ２０は、シリンダロッド２０ａが縮短することによって押込部２０ｃが移動してリンク２１に当接した状態で、さらにシリンダロッド２０ａが縮短することによって、リンク２１を押込んで、アクチュエータ２０の動力がリンク２１を介してロック部１９に伝達させてロック部１９を可動させる。
アクチュエータ２０の押込部２０ｃは、シリンダロッド２０ａの先端部に設けられて、シリンダロッド２０ａが伸縮することによって前後方向に移動する。アクチュエータ２０の押込部２０ｃは、シリンダロッド２０ａの先端部の上方に配置される。アクチュエータ２０の押込部２０ｃは、可動フック１８の内側に配置される。
アクチュエータ２０の押込部２０ｃは、後方（リンク２１側）に突出する二股状（平面視「Ｕ」字状）に構成される。アクチュエータ２０の押込部２０ｃは、シリンダロッド２０ａが縮短することによって後方（リンク２１側）に移動して、押込部２０ｃの後端部（二股状部分の端部）がリンク２１に当接可能に構成される。
【００３３】
リンク２１は、アクチュエータ２０の動力をロック部１９に伝達する。
リンク２１は、固定フック１７の内側に配置される。リンク２１は、前方（押込部２０ｃ側）に突出する二股状（平面視「Ｕ」字状）に構成される。リンク２１は、アクチュエータ２０の後方から、アクチュエータ２０の側方を通ってアクチュエータ２０のシリンダロッド２０ａの先端部側に延出するように構成される。
リンク２１は、シリンダロッド２０ａが縮短することによって押込部２０ｃが移動したときに、押込部２０ｃの後端部がリンク２１の前端部（二股状部分の端部）に当接するように構成される。
リンク２１の後部の軸孔２１ａとロック部１９の上部の軸孔１９ｂとに軸体３３が貫挿され、軸体３３を中心に上下方向にロック部１９が回動自在（移動自在）に構成される。
【００３４】
リンク２１は、可動フック１８（可動フック１８の係合凹部１８ａ）がアタッチメント１５の支持ピン１５ｂに係合された状態では、押込部２０ｃ（押込部２０ｃの後端部）と所定の間隔を空けて配置され、アクチュエータ２０の動力がロック部１９に伝達されないように構成される。
リンク２１は、可動フック１８（可動フック１８の係合凹部１８ａ）がアタッチメント１５の支持ピン１５ｂに係合されない状態において、押込部２０ｃが当接しない状態ではアクチュエータ２０の動力がロック部１９に伝達されないように構成される。
つまり、可動フック１８（可動フック１８の係合凹部１８ａ）がアタッチメント１５の支持ピン１５ｂに係合されない状態において、押込部２０ｃがリンク２１に当接するまではアクチュエータ２０の動力がリンク２１を介してロック部１９に伝達されないことから、ロック部１９はアタッチメント１５の支持ピン１５ａが固定フック１７（固定フック１７の係合凹部１７ａ）から脱落することを防止する。
このことから、例えば、アクチュエータ２０の動力が無くなったとき等のように意図せずに、可動フック１８（可動フック１８の係合凹部１８ａ）がアタッチメント１５の支持ピン１５ｂに係合されない状態において、ロック部１９は、アタッチメント１５の支持ピン１５ａが固定フック１７（固定フック１７の係合凹部１７ａ）から脱落することを防止可能に構成される。
【００３５】
リンク２１は、左右一対の凸部２１ｂを備える。
リンク２１の凸部２１ｂは、リンク２１の前後中途部（アクチュエータ２０のシリンダロッド２０ａ側に延出する部分）の側面から左右（外側）に突出する。リンク２１の凸部２１ｂは、固定フック１７の案内部１７ｄ内に配置される。
リンク２１は、固定フック１７の案内部１７ｄに沿って前後方向に移動可能に構成される。
【００３６】
付勢部材２２は、コイルバネであり、固定フック１７（固定フック１７の案内部１７ｄ）の内側に配置される。付勢部材２２は、アクチュエータ２０のシリンダロッド２０ａの伸縮方向と略平行して配置される。付勢部材２２の前端部は、リンク２１の凸部２１ｂ（凸部２１ｂの後面）に固定され、付勢部材２２の後端部は、ステーを介して固定フック１７の内面に固定される。
付勢部材２２は、リンク２１が前方に移動するようにリンク２１を付勢する。付勢部材２２は、リンク２１を付勢することによって、ロック部１９が下方（ロック側）に回動するように（アタッチメント１５の支持ピン１５ａが固定フック１７（固定フック１７の係合凹部１７ａ）から脱落することを防止する状態となるように）、リンク２１を介してロック部１９を付勢する。付勢部材２２は、アタッチメント１５が連結された状態（固定フック１７がアタッチメント１５の支持ピン１５ａに係合され、可動フック１８がアタッチメント１５の支持ピン１５ｂに係合された状態）では、リンク２１の凸部２１ｂが固定フック１７の案内部１７ｄの前端部に位置するようにリンク２１を付勢する。
付勢部材２２は、アクチュエータ２０のシリンダロッド２０ａが縮短して可動フック１８が回動して押込部２０ｃがリンク２１を後方に押込むときに、リンク２１が後方に移動してロック部１９が上方に回動し、また、アクチュエータ２０のシリンダロッド２０ａが伸長すると、リンク２１が前方に移動してロック部１９が下方に回動するような付勢力を有する。
【００３７】
次に、アタッチメント連結装置１６におけるアタッチメント１５を連結した状態を解除する動作（アタッチメント１５を取外す動作）について説明する。
【００３８】
アタッチメント連結装置１６では、固定フック１７の係合凹部１７ａがアタッチメント１５の支持ピン１５ａに係合され、可動フック１８の係合凹部１８ａがアタッチメント１５の支持ピン１５ｂに係合されて、ロック部１９がアタッチメント１５の支持ピン１５ａが固定フック１７（固定フック１７の係合凹部１７ａ）から脱落することを防止する状態として、アタッチメント１５を連結した状態とされる。このとき、アクチュエータ２０のピン２０ｂは、可動フック１８の支持部１８ｃ内の前部に位置し、支持部１８ｃの前端部に当接した状態となっている。
このような状態で、まず、アクチュエータ２０のシリンダロッド２０ａを縮短させていくと、アクチュエータ２０のピン２０ｂが、可動フック１８の支持部１８ｃ内の後部側に移動して、支持部１８ｃの後端部に当接する（図６参照）。
さらに、アクチュエータ２０のシリンダロッド２０ａを縮短させると、可動フック１８が解除側へ回動し始め、可動フック１８の係合凹部１８ａがアタッチメント１５の支持ピン１５ｂに係合している状態を保持する状態が解除される。
さらに、アクチュエータ２０のシリンダロッド２０ａを縮短させ、可動フック１８を解除側へ回動させていくと、押込部２０ｃがリンク２１に当接する（図７参照）。
さらに、アクチュエータ２０のシリンダロッド２０ａを縮短させ、可動フック１８を解除側へ回動させていくと、付勢部材２２の付勢力に反して押込部２０ｃがリンク２１を押込んでリンク２１が後方に移動していく。
リンク２１が後方に移動していくと、アクチュエータ２０の動力がリンク２１を介してロック部１９に伝達して、ロック部１９が上方に回動し、アタッチメント１５の支持ピン１５ａが固定フック１７（固定フック１７の係合凹部１７ａ）から脱落することを防止する状態を解除する（図８参照）。このとき、可動フック１８を解除側へ回動させていくことによって、可動フック１８の下部後面と固定フック１７の下部前面とが当接して、可動フック１８の解除側への回動限界として、可動フック１８の回動動作が停止する。
そして、このような状態で、ブーム８またはアーム９等を可動させて、固定フック１７の係合凹部１７ａがアタッチメント１５の支持ピン１５ａに係合されている状態を解除する。
以上のようにして、アタッチメント連結装置１６では、アタッチメント１５を連結した状態を解除する。
【００３９】
次に、アタッチメント連結装置１６におけるアタッチメント１５を連結する動作（アタッチメント１５を取付ける動作）について説明する。
【００４０】
アタッチメント連結装置１６では、アタッチメント１５が連結される前の状態としては、固定フック１７の係合凹部１７ａがアタッチメント１５の支持ピン１５ａに係合された状態が解除され、可動フック１８の係合凹部１８ａがアタッチメント１５の支持ピン１５ｂに係合された状態が解除され、ロック部１９がアタッチメント１５の支持ピン１５ａが固定フック１７（固定フック１７の係合凹部１７ａ）から脱落することを防止する状態が解除されている。このとき、可動フック１８の可動フック１８の下部後面と固定フック１７の下部前面とが当接した状態となっている。またこのとき、アクチュエータ２０のピン２０ｂは、可動フック１８の支持部１８ｃ内の後部に位置し、支持部１８ｃの後端部に当接した状態となっている。
このような状態で、まず、ブーム８またはアーム９等を可動させて、固定フック１７の係合凹部１７ａをアタッチメント１５の支持ピン１５ａに係合させる。
固定フック１７の係合凹部１７ａがアタッチメント１５の支持ピン１５ａに係合された状態で、アクチュエータ２０のシリンダロッド２０ａを伸長させていくと、アクチュエータ２０のピン２０ｂが、可動フック１８の支持部１８ｃの前部側に移動して支持部１８ｃの前端部に当接する（図９参照）。またこのようにアクチュエータ２０のシリンダロッド２０ａを伸長させていくと、付勢部材２２の付勢力によって、リンク２１が前方に移動していくとともに、アタッチメント１５の支持ピン１５ｂが可動フック１８の係合凹部１８ａから脱落することを防止する状態となるようにロック部１９が下方に回動していく。そして、リンク２１が前方に移動してリンク２１の凸部２１ｂが固定フック１７の案内部１７ｄの前端部に位置すると、リンク２１の前方の移動が停止する。
さらに、アクチュエータ２０のシリンダロッド２０ａを伸長させると、可動フック１８が固定側へ回動し始める。
さらに、アクチュエータ２０のシリンダロッド２０ａを伸長させ、可動フック１８を固定側へ回動させると、押込部２０ｃがリンク２１に当接している状態が解消される。
さらに、アクチュエータ２０のシリンダロッド２０ａを伸長させ、可動フック１８を固定側へ回動させると、可動フック１８の係合凹部１８ａがアタッチメント１５の支持ピン１５ｂに係合している状態となる（図３参照）。
以上のようにして、アタッチメント連結装置１６では、アタッチメント１５を連結する。
【００４１】
以上のように、アクチュエータ２０は、可動フック１８とロック部１９とを可動させる、アタッチメント連結装置１６では、一つのアクチュエータ２０によって可動フック１８とロック部１９とを可動させる。つまり、アタッチメント連結装置１６では、可動フック１８の動力源とロック部１９の動力源とが、アクチュエータ２０によって共通の動力源とされる。
したがって、アタッチメント連結装置１６によれば、可動フック１８とロック部１９とを可動させる構成であっても、可動フック１８用の動力源とロック部１９用の動力源とをそれぞれ備えるものに比べて、コンパクトに構成することができる。
【００４２】
また以上のように、アクチュエータ２０の動力をロック部１９に伝達するリンク２１を備える、アタッチメント連結装置１６では、リンク２１を介してロック部１９にアクチュエータ２０の動力が伝達され、ロック部１９を可動させる。
したがって、アタッチメント連結装置１６によれば、一つのアクチュエータ２０によって可動フック１８とロック部１９とを可動させるものを簡易に実現することができる。
【００４３】
また以上のように、リンク２１は、可動フック１８がアタッチメント１５の支持ピン１５ｂに係合しているときに、アクチュエータ２０の動力がロック部１９に伝達されないように構成される、アタッチメント連結装置１６では、可動フック１８を解除側へ回動させていき、押込部２０ｃがリンク２１に当接した状態で、アクチュエータ２０の動力がロック部１９に伝達される。
したがって、アタッチメント連結装置１６によれば、リンク２１部を備えるものであっても、可動フック１８がアタッチメント１５の支持ピン１５ｂに係合しているときにアクチュエータ２０の動力がリンク２１を介して伝達されるものに比べて、コンパクトに構成することができる。
【００４４】
また以上のように、ロック部１９は、可動フック１８（可動フック１８の係合凹部１８ａ）がアタッチメント１５の支持ピン１５ｂに係合されない状態において、アタッチメント１５の支持ピン１５ａが固定フック１７（固定フック１７の係合凹部１７ａ）から脱落することを防止可能に構成される、アタッチメント連結装置１６では、例えば、アクチュエータ２０の動力が無くなったとき等のように意図せずに、アタッチメント１５の支持ピン１５ｂが可動フック１８（可動フック１８の係合凹部１８ａ）から脱落したときにおいても、ロック部１９はアタッチメント１５の支持ピン１５ａが固定フック１７（固定フック１７の係合凹部１７ａ）から脱落することを防止することができる。
したがって、アタッチメント連結装置１６によれば、ロック部１９によってアタッチメント１５の支持ピン１５ａが固定フック１７（固定フック１７の係合凹部１７ａ）から脱落することを確実に防止することができる。
【００４５】
以上のように、アタッチメント１５の支持ピン１５ａが固定フック１７（固定フック１７の係合凹部１７ａ）から脱落することを防止する状態となるようにロック部１９を付勢する付勢部材２２を備える、アタッチメント連結装置１６では、アタッチメント１５の支持ピン１５ａが固定フック１７（固定フック１７の係合凹部１７ａ）から脱落することを防止する状態となるようにロック部１９を付勢部材２２が付勢する。
したがって、アタッチメント連結装置１６によれば、ロック部１９によってアタッチメント１５の支持ピン１５ａが固定フック１７（固定フック１７の係合凹部１７ａ）から脱落することを確実に防止することができる。
【００４６】
前述のように、ロック部１９は、アクチュエータ２０のシリンダロッド２０ａが縮短（可動）することによって付勢部材２２の付勢力に反して可動して、アタッチメント１５の支持ピン１５ａが固定フック１７（固定フック１７の係合凹部１７ａ）から脱落することを防止している状態を解除するが、アクチュエータ２０のシリンダロッド２０ａを縮短させずに、可動フック１８の解除側への回動限界として可動フック１８の回動動作が停止した状態では、リンク２１の凸部２１ｂは固定フック１７の案内部１７ｄの前端部に当接した状態となっており、また、リンク２１は押込部２０ｃによって押込まれず後方に移動しない。つまり、アクチュエータ２０のシリンダロッド２０ａが縮短させずに、可動フック１８の解除側への回動限界として可動フック１８の回動動作が停止した状態では、ロック部１９が可動せず、アタッチメント１５の支持ピン１５ａが固定フック１７（固定フック１７の係合凹部１７ａ）から脱落することを防止する状態となっている。
このことから、可動フック１８が解除側に回動してアタッチメント１５の支持ピン１５ｂに係合されていない状態においても、アクチュエータ２０のシリンダロッド２０ａを縮短させなければ、ロック部１９は、可動せず（上方に回動せず）アタッチメント１５の支持ピン１５ａが固定フック１７（固定フック１７の係合凹部１７ａ）から脱落することを防止している状態となっている。
【００４７】
以上のように、可動フック１８が解除側に回動してアタッチメント１５の支持ピン１５ｂに係合されていない状態において、ロック部１９は、アクチュエータ２０によって可動して、アタッチメント１５の支持ピン１５ａが固定フック１７（固定フック１７の係合凹部１７ａ）から脱落することを防止している状態を解除する、アタッチメント連結装置１６では、可動フック１８が解除側に回動してアタッチメント１５の支持ピン１５ｂに係合されていない状態において、アクチュエータ２０のシリンダロッド２０ａを縮短（可動）させなければ、ロック部１９は、アタッチメント１５の支持ピン１５ａが固定フック１７（固定フック１７の係合凹部１７ａ）から脱落することを防止している状態となっている。
したがって、アタッチメント連結装置１６によれば、可動フック１８が解除側に回動して可動フック１８（可動フック１８の係合凹部１８ａ）がアタッチメント１５の支持ピン１５ｂに係合されていない状態において、ロック部１９によってアタッチメント１５の支持ピン１５ａが固定フック１７（固定フック１７の係合凹部１７ａ）から脱落することを確実に防止することができる。
【００４８】
また以上のように、可動フック１８が解除側に回動してアタッチメント１５の支持ピン１５ｂに係合されていない状態において、ロック部１９は、アクチュエータ２０によって付勢部材２２の付勢力に反して可動して、アタッチメント１５の支持ピン１５ａが固定フック１７（固定フック１７の係合凹部１７ａ）から脱落することを防止している状態を解除する、アタッチメント連結装置１６では、可動フック１８が解除側に回動してアタッチメント１５の支持ピン１５ｂに係合されていない状態において、付勢部材２２の付勢力に反してアクチュエータ２０のシリンダロッド２０ａを縮短（可動）させなければ、ロック部１９は、アタッチメント１５の支持ピン１５ａが固定フック１７（固定フック１７の係合凹部１７ａ）から脱落することを防止している状態となっている。
したがって、アタッチメント連結装置１６によれば、可動フック１８が解除側に回動して可動フック１８（可動フック１８の係合凹部１８ａ）がアタッチメント１５の支持ピン１５ｂに係合されていない状態において、ロック部１９によってアタッチメント１５の支持ピン１５ａが固定フック１７（固定フック１７の係合凹部１７ａ）から脱落することを確実に防止することができる。
【００４９】
また以上のように、可動フック１８の支持部１８ｃが長孔状に構成され、アクチュエータ２０のシリンダロッド２０ａが伸縮することによって、可動フック１８の支持部１８ｃ内において支持部１８ｃの長手方向に沿ってピン２０ｂが移動可能に構成される、アタッチメント連結装置１６では、可動フック１８が解除側に回動してアタッチメント１５の支持ピン１５ｂに係合されていない状態において、アクチュエータ２０のシリンダロッド２０ａを縮短させて可動フック１８の支持部１８ｃ内においてピン２０ｂが後方に移動して押込部２０ｃを後方（リンク２１側）に移動させることによって、ロック部１９は、可動して（上方に回動して）、アタッチメント１５の支持ピン１５ａが固定フック１７（固定フック１７の係合凹部１７ａ）から脱落することを防止している状態を解除する。
したがって、アタッチメント連結装置１６によれば、可動フック１８が解除側に回動してアタッチメント１５の支持ピン１５ｂに係合されていない状態において、ロック部１９は、アクチュエータ２０がよって付勢部材２２の付勢力に反して可動して、アタッチメント１５の支持ピン１５ａが固定フック１７（固定フック１７の係合凹部１７ａ）から脱落することを防止している状態を解除するものを、簡易な構成で実現することができる。
【００５０】
リンク２１は、側面視略「へ」字状に形成される。リンク２１は側面視略逆「Ｖ」字状に形成される。リンク２１は、アクチュエータ２０の後方から、アクチュエータ２０を支持する軸体３２の上方を通ってアクチュエータ２０のシリンダロッド２０ａの先端部側に延出するように構成される。リンク２１は、固定フック１７内において、アクチュエータ２０を支持する軸体３２の後方から、アクチュエータ２０を支持する軸体３２と固定フック１７と可動フック１８のそれぞれの軸孔１７ｂ・１８ｂに貫挿される軸体３０との間の空間を通り、アクチュエータ２０を支持する軸体３２の前方に延出するように形成される。
【００５１】
以上のように、リンク２１が、アクチュエータ２０を支持する軸体３２の後方から、アクチュエータ２０を支持する軸体３２と固定フック１７と可動フック１８のそれぞれの軸孔１７ｂ・１８ｂに貫挿される軸体３０との間の空間を通り、アクチュエータ２０を支持する軸体３２の前方に延出するように形成されるアタッチメント連結装置１６では、固定フック１７内におけるアクチュエータ２０を支持する軸体３２と固定フック１７と可動フック１８のそれぞれの軸孔１７ｂ・１８ｂに貫挿される軸体３０との間の空間を有効に利用して、リンク２１が配置される。
したがって、アタッチメント連結装置１６によれば、アクチュエータ２０の動力をロック部１９に伝達するリンク２１を備えるものであっても、コンパクトに構成することができる。
【００５２】
ロック部１９は、下方に回動した状態（ロック部１９によってアタッチメント１５の支持ピン１５ａが固定フック１７（固定フック１７の係合凹部１７ａ）から脱落することを防止される状態）で、ロック部１９（ロック部１９の前方に延出する部分の後面）がキャビン６内の作業者から視認可能に構成される。ロック部１９は、その前方に延出する部分の後面が、キャビン６内の作業者が視認し易いように、他の部分と異なる色に着色されて構成される。
【００５３】
以上のように、ロック部１９は、ロック部１９によってアタッチメント１５の支持ピン１５ａが固定フック１７（固定フック１７の係合凹部１７ａ）から脱落することを防止される状態で、ロック部１９がキャビン６内の作業者から視認可能に構成される、アタッチメント連結装置１６では、キャビン６内の作業者が、ロック部１９によってアタッチメント１５の支持ピン１５ａが固定フック１７（固定フック１７の係合凹部１７ａ）から脱落することを防止される状態であることを確認して、作業を行うことができる。
したがって、アタッチメント連結装置１６によれば、ロック部１９によってアタッチメント１５の支持ピン１５ａが固定フック１７（固定フック１７の係合凹部１７ａ）から脱落することを防止される状態を解除した状態で、作業が行われることを防止することができる。
【００５４】
ロック部１９が上方に回動した状態（ロック部１９によってアタッチメント１５の支持ピン１５ａが固定フック１７（固定フック１７の係合凹部１７ａ）から脱落することを防止される状態を解除した状態）で、固定フック１７の係合凹部１７ａに係合した状態のアタッチメント１５の支持ピン１５ａ（支持ピン１５ａの後面）が、キャビン６内の作業者から視認可能に構成される。
【００５５】
以上のように、ロック部１９によってアタッチメント１５の支持ピン１５ａが固定フック１７（固定フック１７の係合凹部１７ａ）から脱落することを防止される状態を解除した状態で、固定フック１７の係合凹部１７ａに係合した状態のアタッチメント１５の支持ピン１５ａが、キャビン６内の作業者から視認可能に構成される、アタッチメント連結装置１６では、キャビン６内の作業者が、ロック部１９によってアタッチメント１５の支持ピン１５ａが固定フック１７（固定フック１７の係合凹部１７ａ）から脱落することを防止される状態を解除した状態であることを確認することができる。
したがって、アタッチメント連結装置１６によれば、ロック部１９によってアタッチメント１５の支持ピン１５ａが固定フック１７（固定フック１７の係合凹部１７ａ）から脱落することを防止される状態を解除した状態で、作業が行われることを防止することができる。
【００５６】
次に、図１０から図１５に記載のアタッチメント連結装置１６について説明する。
なお、図１０から図１５に記載のアタッチメント連結装置１６についての説明は、図１から図９に記載のアタッチメント連結装置１６と同様の構成の部分については適宜省略し、図１から図９に記載のアタッチメント連結装置１６の構成と異なる部分を中心に説明する。
【００５７】
図１０から図１５に示すように、アタッチメント連結装置１６は、固定フック１７と、可動フック１８と、ロック部１９と、アクチュエータ２０と、リンク２１と、付勢部材２２と、を備える。
【００５８】
固定フック１７は案内部１７ｅを備える。
固定フック１７の案内部１７ｅは、固定フック１７の両側部に形成される。固定フック１７の案内部１７ｅは、固定フック１７の前部に形成される。固定フック１７の案内部１７ｅは、固定フック１７の上下中途部に形成される。固定フック１７の案内部１７ｅは、凸状に形成されて、固定フック１７の内面から内側に突出するように配置される。
【００５９】
可動フック１８は支持部１８ｄを備える。
可動フック１８の支持部１８ｄは、可動フック１８の両側部に形成される。可動フック１８の支持部１８ｄは、可動フック１８の上下中途部に形成される。可動フック１８の支持部１８ｄは、可動フック１８の側面が貫通するように切欠かれて形成される。可動フック１８の支持部１８ｄは、可動フック１８が解除側に回動した状態でアクチュエータ２０のシリンダロッド２０ａの伸縮方向と略平行な長孔状に形成される。可動フック１８の支持部１８ｄは、略前後方向を長手方向とするように形成される。可動フック１８の支持部１８ｄは、その長手方向の長さがアクチュエータ２０のピン２０ｂの直径よりも長く構成される。可動フック１８の支持部１８ｄは、その長手方向の長さが、ロック部１９によってアタッチメント１５の支持ピン１５ａが固定フック１７（固定フック１７の係合凹部１７ａ）から脱落することを防止している状態とするとき、または、アタッチメント１５の支持ピン１５ａが固定フック１７から脱落することを防止している状態を解除するときに、アクチュエータ２０のピン２０ｂの移動に必要な長さと略同一（若干長く）に構成される。
【００６０】
リンク２１は、固定フック１７の内側に配置される。リンク２１は、左右一対の平板状の部材からなり、アクチュエータ２０の後方から、アクチュエータ２０の側方を通ってアクチュエータ２０のシリンダロッド２０ａの先端部側に延出するように構成される。リンク２１は、シリンダロッド２０ａが縮短することによって押込部２０ｃが移動したときに、押込部２０ｃの後端部がリンク２１の前端部（二股状部分の端部）に当接するように構成される。
【００６１】
リンク２１は、左右一対の支持孔２１ｃを備える。
リンク２１の支持孔２１ｃは、リンク２１の前部を貫通して形成される。固定フック１７の案内部１７ｅは、リンク２１の支持孔２１ｃ内に配置されて支持される。
リンク２１は、固定フック１７の案内部１７ｅに沿って前後方向に移動可能に構成される。
【００６２】
付勢部材２２は、ピン付勢部材２３と、ロック部付勢部材２４と、で構成される。
【００６３】
ピン付勢部材２３は、コイルバネであり、可動フック１８の支持部１８ｄ内に配置される。ピン付勢部材２３は、可動フック１８の支持部１８ｄの長手方向に沿って配置される。ピン付勢部材２３は、アクチュエータ２０のシリンダロッド２０ａの伸縮方向と略平行して配置される。ピン付勢部材２３の前端部は、アクチュエータ２０のピン２０ｂ（ピン２０ｂの後面）に当接し、ピン付勢部材２３の後端部は、可動フック１８の支持部１８ｄの後端面に当接する。
ピン付勢部材２３は、アクチュエータ２０のピン２０ｂが前方に移動するようにピン２０ｂを付勢する。ピン付勢部材２３は、アタッチメント１５が連結された状態（固定フック１７がアタッチメント１５の支持ピン１５ａに係合され、可動フック１８がアタッチメント１５の支持ピン１５ｂに係合された状態）では、アクチュエータ２０のピン２０ｂが可動フック１８の支持部１８ｄの前端部に位置するようにアクチュエータ２０のピン２０ｂを付勢する。
【００６４】
ロック部付勢部材２４は、コイルバネであり、ロック部１９の後部（固定フック１７の後下部）に配置される。
ロック部付勢部材２４は、ロック部１９が下方に回動するように（アタッチメント１５の支持ピン１５ａが固定フック１７（固定フック１７の係合凹部１７ａ）から脱落することを防止する状態となるように）ロック部１９を付勢する。ロック部付勢部材２４は、ロック部１９を付勢することによって、リンク２１が前方に移動するように、ロック部１９を介してリンク２１を付勢する。
ロック部付勢部材２４は、アクチュエータ２０のシリンダロッド２０ａが伸縮して可動フック１８が回動しているときに、リンク２１を前方に位置させた状態及びロック部１９を下方に回動させた状態とする。
【００６５】
次に、アタッチメント連結装置１６におけるアタッチメント１５を連結した状態を解除する動作（アタッチメント１５を取外す動作）について説明する。
【００６６】
アタッチメント連結装置１６では、固定フック１７の係合凹部１７ａがアタッチメント１５の支持ピン１５ａに係合され、可動フック１８の係合凹部１８ａがアタッチメント１５の支持ピン１５ｂに係合されて、ロック部１９によってアタッチメント１５の支持ピン１５ａが固定フック１７（固定フック１７の係合凹部１７ａ）から脱落することを防止する状態として、アタッチメント１５を連結した状態とされる。このとき、アクチュエータ２０のピン２０ｂは、可動フック１８の支持部１８ｄ内の前部に位置し、支持部１８ｄの前端部に当接した状態となっている。
このような状態で、まず、アクチュエータ２０のシリンダロッド２０ａを縮短させていくと、可動フック１８が解除側へ回動し始め、可動フック１８の係合凹部１８ａがアタッチメント１５の支持ピン１５ｂに係合している状態を保持する状態が解除される。
さらに、アクチュエータ２０のシリンダロッド２０ａを縮短させ、可動フック１８を解除側へ回動させていくと、押込部２０ｃがリンク２１に当接する（図１４参照）。このとき、可動フック１８の下部後面と固定フック１７の下部前面とが当接して、可動フック１８の解除側への回動限界として、可動フック１８の回動動作が停止する。
さらに、アクチュエータ２０のシリンダロッド２０ａを縮短させていくと、ピン付勢部材２３の付勢力に反して可動フック１８の支持部１８ｄ内においてピン２０ｂが後方に移動し、押込部２０ｃがリンク２１を押込んでリンク２１が後方に移動していく。
リンク２１が後方に移動していくと、アクチュエータ２０の動力がリンク２１を介してロック部１９に伝達して、ロック部付勢部材２４の付勢力に反してロック部１９が上方に回動し、アタッチメント１５の支持ピン１５ａが固定フック１７（固定フック１７の係合凹部１７ａ）から脱落することを防止する状態を解除する（図１５参照）。
そして、このような状態で、ブーム８またはアーム９等を可動させて、固定フック１７の係合凹部１７ａがアタッチメント１５の支持ピン１５ａに係合されている状態を解除する。
以上のようにして、アタッチメント連結装置１６では、アタッチメント１５を連結した状態を解除する。
【００６７】
次に、アタッチメント連結装置１６におけるアタッチメント１５を連結する動作（アタッチメント１５を取付ける動作）について説明する。
【００６８】
アタッチメント連結装置１６では、アタッチメント１５が連結される前の状態としては、固定フック１７の係合凹部１７ａがアタッチメント１５の支持ピン１５ａに係合された状態が解除され、可動フック１８の係合凹部１８ａがアタッチメント１５の支持ピン１５ｂに係合された状態が解除され、ロック部１９によってアタッチメント１５の支持ピン１５ａが固定フック１７（固定フック１７の係合凹部１７ａ）から脱落することを防止する状態が解除されている。このとき、可動フック１８の可動フック１８の下部後面と固定フック１７の下部前面とが当接した状態となっている。またこのとき、アクチュエータ２０のピン２０ｂは、ピン付勢部材２３の付勢力に反して支持部１８ｄ内の前端部からやや後部側に位置した状態となっている。
このような状態で、まず、ブーム８またはアーム９等を可動させて、固定フック１７の係合凹部１７ａをアタッチメント１５の支持ピン１５ａに係合させる。
固定フック１７の係合凹部１７ａがアタッチメント１５の支持ピン１５ａに係合された状態で、アクチュエータ２０のシリンダロッド２０ａを伸長させていくと、アクチュエータ２０のピン２０ｂが、可動フック１８の支持部１８ｄの前部側に移動していく。このとき、ロック部付勢部材２４の付勢力によって、リンク２１が前方に移動していくとともに、アタッチメント１５の支持ピン１５ｂが可動フック１８の係合凹部１８ａから脱落することを防止する状態となるようにロック部１９が下方に回動していく。そして、アクチュエータ２０のピン２０ｂが前方に移動してピン２０ｂが可動フック１８の支持部１８ｄの前端部に位置するとピン２０ｂの移動が停止し、ロック部１９の下方への回動が停止し、ロック部１９によってアタッチメント１５の支持ピン１５ｂが可動フック１８の係合凹部１８ａから脱落することを防止する状態となる（図１４参照）。
さらに、アクチュエータ２０のシリンダロッド２０ａを伸長させると、可動フック１８が固定側へ回動し始め、押込部２０ｃがリンク２１に当接している状態が解消される。
さらに、アクチュエータ２０のシリンダロッド２０ａを伸長させ、可動フック１８を固定側へ回動させると、可動フック１８の係合凹部１８ａがアタッチメント１５の支持ピン１５ｂに係合している状態となる（図１１参照）。
以上のようにして、アタッチメント連結装置１６では、アタッチメント１５を連結する。
【符号の説明】
【００６９】
１    クローラ式走行装置
９    アーム
１５  アタッチメント
１７  固定フック
１８  可動フック
１９  ロック部
２０  アクチュエータ
２１  リンク
２２  付勢部材
【図１】
2016166509.tif 000003
【図２】
2016166509.tif 000004
【図３】
2016166509.tif 000005
【図４】
2016166509.tif 000006
【図５】
2016166509.tif 000007
【図６】
2016166509.tif 000008
【図７】
2016166509.tif 000009
【図８】
2016166509.tif 000010
【図９】
2016166509.tif 000011
【図１０】
2016166509.tif 000012
【図１１】
2016166509.tif 000013
【図１２】
2016166509.tif 000014
【図１３】
2016166509.tif 000015
【図１４】
2016166509.tif 000016
【図１５】
2016166509.tif 000017